(57)【要約】【課題】洗浄水の噴射により食器等の洗浄を行う食器洗い機において、洗浄槽を溶接やシール材を用いることなく構成するとともに、洗浄槽を構成する部材の接合強度を向上し、製造が容易で、製造コストが安価な食器洗い機を提供する。【解決手段】食器洗い機本体１１の内部に設けた洗浄槽１０を、上部を構成する上面構成部材１３と、側面を構成する洗浄槽部材１２と、底部を構成する底部構成部材１４とにより構成し、洗浄槽部材１２の外方側面に連結部材２１を位置させる。連結部材２１は上面構成部材１３と底部構成部材１４とを継合するようにする。【選択図】  図１
2004267679.tif 000002
【特許請求の範囲】
【請求項１】
食器洗い機本体と、前記食器洗い機本体の内部に設けた洗浄槽と、洗浄槽の上部を構成する上面構成部材と、前記洗浄槽の側面を構成する洗浄槽部材と、前記洗浄槽の底部を構成する底部構成部材と、前記洗浄槽部材の外方側面に位置する連結部材とを備え、前記連結部材は前記上面構成部材と前記底部構成部材とを継合するようにした食器洗い機。
【請求項２】
洗浄槽に設けた開口部を開閉する複数個の扉体と、前記扉体を開閉自在に支持する複数個の支持部材とを備え、前記複数個の支持部材の少なくとも２つを連結部材に回動自在に支持した請求項１記載の食器洗い機。
【請求項３】
連結部材は略板形状とした請求項１または２記載の食器洗い機。
【請求項４】
上面構成部材と底部構成部材の少なくとも１つが連結部材と係止するようにした請求項１〜３のいずれか１項に記載の食器洗い機。
【発明の詳細な説明】
【０００１】
【発明の属する技術分野】
本発明は、洗浄水の噴射により食器等の洗浄を行う食器洗い機に関する。
【０００２】
【従来の技術】
従来、この種の食器洗い機は、図３に示すように構成していた。以下、その構成について説明する。
【０００３】
図３に示すように、食器類１を収容する洗浄槽２は、樹脂製の底部構成部材３と、この底部構成部材３の上に設けた金属（ステンレス鋼板）製の洗浄槽部材４とで構成している。洗浄槽２は、金属製の洗浄槽部材４の前方に開口部５を有し、この開口部５を扉体６により開閉するとともに、樹脂製の底部構成部材３に洗浄水を噴射する洗浄ノズル７を回転自在に配設しており、洗浄槽２内に食器類１を収容する食器かごを配置している。金属製の洗浄槽部材４はユーザーが製品使用時に目に付く側壁面を構成し、また、上面も同じ金属を使用し、溶接等で接合している。
【０００４】
また、洗浄槽２は、樹脂製の底部構成部材３の上方より、金属製の洗浄槽部材４を挿着し、上下の抜け方向に規制した結合構成としており、接合部８からの水漏れを底部構成部材３に設けた上方への立ち上がり部９によって、底部構成部材３内へ回収する構成としている（例えば、特許文献１参照）。
【０００５】
【特許文献１】
特開２０００−２９６０８７号公報（第３頁、図１）
【０００６】
【発明が解決しようとする課題】
このような従来の構成では、金属製の洗浄槽部材４の側面を構成する部材と上面を構成する部材との接続は、洗浄水を外部に漏らさないように、溶接もしくは、シール材により水封する構成としているため、製造コストが高価になるという問題を有していた。
【０００７】
また、洗浄槽部材４の上面を構成する部材を別部材で構成し、この別部材を、底部構成部材３と金属製の洗浄槽部材４との接合部と同じ形状を反転して上部に用いた場合には、３部品で構成された洗浄槽２ではそれぞれの部品の接合を特別な設備を用いることなく装着可能にするため、洗浄槽２単独での接合強度が不足し、食器洗い機の製造過程で取扱いが悪いという問題を有していた。
【０００８】
本発明は上記課題を解決するもので、洗浄槽を溶接やシール材を用いることなく構成するとともに、洗浄槽を構成する部材の接合強度を向上し、製造が容易で、製造コストが安価な食器洗い機を提供することを目的としている。
【０００９】
【課題を解決するための手段】
本発明は上記目的を達成するために、食器洗い機本体の内部に設けた洗浄槽を、上部を構成する上面構成部材と、側面を構成する洗浄槽部材と、底部を構成する底部構成部材とにより構成し、洗浄槽部材の外方側面に連結部材を位置させ、連結部材は上面構成部材と底部構成部材とを継合するようにしたものである。
【００１０】
これにより、上面構成部材と底部構成部材と洗浄槽部材とで構成された洗浄槽を、溶接やシール材を用いることなく構成できるとともに、洗浄槽を構成する各部材の接合強度を向上することができ、製造が容易で、製造コストが安価な食器洗い機を提供することができる。
【００１１】
【発明の実施の形態】
本発明の請求項１に記載の発明は、食器洗い機本体と、前記食器洗い機本体の内部に設けた洗浄槽と、洗浄槽の上部を構成する上面構成部材と、前記洗浄槽の側面を構成する洗浄槽部材と、前記洗浄槽の底部を構成する底部構成部材と、前記洗浄槽部材の外方側面に位置する連結部材とを備え、前記連結部材は前記上面構成部材と前記底部構成部材とを継合するようにしたものであり、上面構成部材と底部構成部材と洗浄槽部材とで構成された洗浄槽を、溶接やシール材を用いることなく構成できるとともに、洗浄槽を構成する各部材の接合強度を向上することができ、製造が容易で、製造コストが安価な食器洗い機を提供することができる。
【００１２】
請求項２に記載の発明は、上記請求項１に記載の発明において、洗浄槽に設けた開口部を開閉する複数個の扉体と、前記扉体を開閉自在に支持する複数個の支持部材とを備え、前記複数個の支持部材の少なくとも２つを連結部材に回動自在に支持したものであり、連結部材により洗浄槽を連結するのと同時に、洗浄槽の開口部と複数個の扉体との位置決めをすることができる。
【００１３】
請求項３に記載の発明は、上記請求項１または２に記載の発明において、連結部材は略板形状としたものであり、洗浄槽部材の外方側面と食器洗い機本体との空間を小さくできるとともに、プレス等で容易に加工できる構成とすることができる。
【００１４】
請求項４に記載の発明は、上記請求項１〜３に記載の発明において、上面構成部材と底部構成部材の少なくとも１つが連結部材と係止するようにしたものであり、接合作業を容易にすることができる。
【００１５】
【実施例】
以下、本発明の一実施例について、図面を参照しながら説明する。
【００１６】
図１に示すように、洗浄槽１０は、食器洗い機本体１１の内部に設け、側面を構成するステンレス鋼板などの金属製の洗浄槽部材１２と、洗浄槽部材１２の上部を構成する樹脂製の上面構成部材１３と、底部を構成する樹脂製の底部構成部材１４とで構成している。また、食器洗い機本体１１は、洗浄槽部材１２の上部を構成する樹脂製の上面構成部材１３を共用し、この上面構成部材１３と側面を構成する食器洗い機本体部材１５とで構成している。
【００１７】
この洗浄槽１０は、洗浄槽部材１２の前方に開口部１６を有し、上扉体（扉体）１７と下扉体（扉体）１８により開閉するよう構成している。上扉体１７に上支持部材１９を固定し、この上支持部材１９を上固定枢軸２０で連結部材２１に回転自在に軸支している。また、下扉体１８に下支持部材２２を固定し、この支持部材２２を下固定枢軸２３で連結部材２１に回転自在に軸支している。
【００１８】
また、上面構成部材１３の外周下面と底部構成部材１４の外周上面にはそれぞれ、洗浄槽部材１２が挿入される溝部を設け、上面構成部材１３、洗浄槽部材１２をそれぞれ底部構成部材１４の上方から順に挿着する構成としている。
【００１９】
また、連結部材２１は略板形状で構成し、図２に示すように、上部は洗浄槽１０を構成する上面構成部材１３側に略Ｌ字形状に折曲げ、上面構成部材１３に一体に形成した上方規制リブ２４に継合する第１の貫通穴２５を設け、上方規制リブ２４に挿入している。また、連結部材２１の下部にはビスが入る第２の貫通穴２６を設け、底部構成部材１４の外壁面にビス締結している。
【００２０】
上記の構成において作用を説明すると、上面構成部材１３、洗浄槽部材１２と底部構成部材１４とを上下方向に挿入することで構成された洗浄槽１０は、連結部材２１を上面構成部材１３に設けた上方規制リブ２４に側方から挿入し、上面構成部材１３を下方に規制し、側方から底部構成部材１４にビス締結することで、容易に上下方向への外れ防止ができる。
【００２１】
よって、上面構成部材１３と洗浄槽部材１２、底部構成部材１４と洗浄槽部材１２のそれぞれの結合力を緩くしても、連結部材２１により各部材の接合強度を向上することができるため、上面構成部材１３と洗浄槽部材１２、底部構成部材１４と洗浄槽部材１２のそれぞれの結合力を緩くすることにより、洗浄槽１０を製造する際に、上面構成部材１３、洗浄槽部材１２をそれぞれ底部構成部材１４の上方から順に挿着するとき、必要な挿入力を小さくすることができ、特別な設備を必要とせずに容易に接合強度の強い洗浄槽１０を製造することができる。
【００２２】
なお、本実施例では、上面構成部材１３に上方規制リブ２４を設けているが、底部構成部材１４に下方規制リブを設け、上面構成部材１３にビス締結してもよく、同様の効果が得られる。
【００２３】
また、上面構成部材１３に上方規制リブ２４を設けるのと同時に、底部構成部材１４に下方規制リブを設け、側方からの挿入を容易にすれば、ビス締結を必要とせず、同様の効果が得られる。
【００２４】
このように本実施例によれば、洗浄槽部材１２の外方側面に位置する連結部材２１により上面構成部材１３と底部構成部材１４とを継合するようにしたので、上面構成部材１３と底部構成部材１４と洗浄槽部材１２とで構成された洗浄槽１０を、溶接やシール材を用いることなく構成できるとともに、洗浄槽１０を構成する各部材の接合強度を向上することができ、製造が容易で、製造コストが安価な食器洗い機を提供することができる。
【００２５】
また、洗浄槽１０に設けた開口部１６を開閉する上扉体１７と下扉体１８をそれぞれ開閉自在に支持する上支持部材１９と下支持部材２２を連結部材２１に回動自在に支持したので、連結部材２１により洗浄槽１０を連結するのと同時に、洗浄槽１０の開口部と上扉体１７と下扉体１８との位置決めをすることができる。
【００２６】
また、連結部材２１は略板形状としたので、洗浄槽部材１２の外方側面と食器洗い機本体１１との空間を小さくできるとともに、プレス等で容易に加工できるため、安価に製造することができる。
【００２７】
また、上面構成部材１３と底部構成部材１４の少なくとも１つが連結部材２１と係止するようにしたので、接合作業を容易にすることができる。
【００２８】
【発明の効果】
以上のように本発明の請求項１に記載の発明によれば、食器洗い機本体の内部に設けた洗浄槽を、上部を構成する上面構成部材と、側面を構成する洗浄槽部材と、底部を構成する底部構成部材とにより構成し、洗浄槽部材の外方側面に連結部材を位置させ、連結部材は上面構成部材と底部構成部材とを継合するようにしたから、上面構成部材と底部構成部材と洗浄槽部材とで構成された洗浄槽を、溶接やシール材を用いることなく構成できるとともに、洗浄槽を構成する各部材の接合強度を向上することができ、製造が容易で、製造コストが安価な食器洗い機を提供することができる。
【図面の簡単な説明】
【図１】本発明の一実施例の食器洗い機の縦断面図
【図２】同食器洗い機の要部分解斜視図
【図３】従来の食器洗い機の縦断面図
【符号の説明】
１０    洗浄槽
１１  食器洗い機本体
１２  洗浄槽部材
１３  上面構成部材
１４  底部構成部材
２１  連結部材
【図１】
2004267679.tif 000003
【図２】
2004267679.tif 000004
【図３】
2004267679.tif 000005